(57)【特許請求の範囲】
【請求項１】
親基板に取り付けられた絶縁性のハウジングと、該ハウジングに取り付けられ、子基板を保持するラッチ部材とを具備し、該ラッチ部材が、前記子基板の縁部に形成された半円状凹部の内壁に係合することにより前記子基板の水平方向への抜けを抑制する子基板抜け止め部を有するカードエッジコネクタにおいて、
前記子基板抜け止め部が、前記半円状凹部の内壁に食い込む尖縁部を有し、
前記ラッチ部材が金属板を打ち抜き及び曲げ加工することによって形成されるメタルラッチであり、前記尖縁部が前記ラッチ部材の先端に設けられた、前記金属板の打ち抜き時に形成されるバリ縁であることを特徴とするカードエッジコネクタ。
【請求項２】
前記尖縁部が前記水平方向と直交する上下方向に沿って傾斜し、前記半円状凹部の内壁の上端近傍に食い込むことを特徴とする請求項１記載のカードエッジコネクタ。
【発明の詳細な説明】
【０００１】
【発明の属する技術分野】
本発明は、親基板に取り付けられ、子基板を着脱自在に接続するカードエッジコネクタに関する。
【０００２】
【従来の技術】
従来より、親基板に取り付けられ、ＳＩＭＭ（シングル・インライン・メモリ・モジュール）やＤＩＭＭ（ダブル・インライン・メモリ・モジュール）等の子基板を着脱自在に接続するカードエッジコネクタが、パーソナルコンピュータ等に使用されている。
【０００３】
このカードエッジコネクタとして、従来、例えば、図９に示すものが知られている（特開平８−１９０９６７号公報参照）。
このカードエッジコネクタ１０１は、図９（Ａ）に示すように、親基板（図示せず）上に取り付けられ、長手方向に延びる２段の子基板受容凹部１１１、２１１を有する絶縁性のハウジング１１０と、子基板受容凹部１１１、２１１の長手方向に沿って上下２列状に取り付けれ、親基板に接続された複数のコンタクト１２１、２２１とを有している。また、ハウジング１１０の子基板受容凹部１１１の長手方向両端部には、子基板受容凹部１１１に斜めで挿入された後回転されて水平となった子基板３００をその水平角度に保持する１対のラッチ部１３１が設けられ、子基板受容凹部２１１の長手方向両端部にも、子基板受容凹部２１１に斜めで挿入された後回転されて水平角度となった子基板３００をその水平角度に保持する１対のラッチ部２３１が設けられている。
【０００４】
そして、各ラッチ部１３１、２３１は、ハウジング１１０と一体的に形成され、その前端部（図９（Ｂ）における右端部）には、係止部１３２、２３２と子基板抜け止め部１３３、２３３とが設けられている。係止部１３２、２３２の各々は、ラッチ部１３１、２３１の前端上部から内側に突出している。そして、この係止部１３２、２３２の各々は、子基板受容凹部１１１、２１１内に挿入された子基板３００を斜めから水平に回動する際に、ラッチ部１３１、２３１の弾性力により一旦外側に変移してから元の状態に復帰し、子基板３００の縁部の上面に接して子基板３００の浮き上がりを防止して子基板３００を固定するようになっている。また、子基板抜け止め部１３３、２３３の各々は、図９（Ｂ）に示すように（図９（Ｂ）には子基板抜け止め部１３３のみが示されている）、ラッチ部１３１、２３１の係止部１３２、２３２と隣接する部位から内側に突出している。この子基板抜け止め部１３３、２３３の各々は、子基板３００が親基板に対して水平に位置したときに、子基板３００の縁部に形成された半円状凹部３０１内に入りこみ、子基板３００に対して水平方向（図９（Ｂ）に示す矢印方向）に力が加えられたときに、その押え面１３３Ａ、２３３Ａ（１３３Ａのみ図示）が半円状凹部３０１の内壁に形成された衝合面３０１Ａを押えるよう作用することにより、子基板３００のコネクタ１０１からの水平方向の抜けを防止するようになっている。
【０００５】
【発明が解決しようとする課題】
しかしながら、この従来のカードエッジコネクタ１０１にあっては、子基板抜け止め部１３３、２３３の押え面１３３Ａ、２３３Ａと半円状凹部３０１の内壁に形成された衝合面３０１Ａとは面接触となっているため、子基板３００の保持（抜け防止）圧力が低く、落下等の衝撃により子基板３００がカードエッジコネクタ１０１から水平方向に離脱してしまうことがあり、顧客が要求する耐衝撃性能が得られないという問題があった。
【０００６】
従って、本発明は上述の問題点に鑑みてなされたものであり、その目的は、ラッチ部材による子基板の保持圧力を高めることにより、子基板の水平方向への抜けを効果的に抑制することができるカードエッジコネクタを提供することにある。
【０００７】
【課題を解決するための手段】
上記問題を解決するため、本発明のうち請求項１に係るカードエッジコネクタは、親基板に取り付けられた絶縁性のハウジングと、該ハウジングに取り付けられ、子基板を保持するラッチ部材とを具備し、該ラッチ部材が、前記子基板の縁部に形成された半円状凹部の内壁に係合することにより前記子基板の水平方向への抜けを抑制する子基板抜け止め部を有するカードエッジコネクタにおいて、前記子基板抜け止め部が、前記半円状凹部の内壁に食い込む尖縁部を有し、前記ラッチ部材が金属板を打ち抜き及び曲げ加工することによって形成されるメタルラッチであり、前記尖縁部が前記ラッチ部材の先端に設けられた、前記金属板の打ち抜き時に形成されるバリ縁であることを特徴としている。
【０００９】
さらに、本発明のうち請求項２に係るカードエッジコネクタは、請求項１記載の発明において、前記尖縁部が前記水平方向と直交する上下方向に沿って傾斜し、前記半円状凹部の内壁の上端近傍に食い込むことを特徴としている。
【００１０】
【発明の実施の形態】
次に本発明の実施形態を図面を参照して説明する。図１は本発明に係るカードエッジコネクタの第１実施形態を示し、（Ａ）は平面図、（Ｂ）は正面図、（Ｃ）は右側面図である。但し、図１（Ｃ）においては、親基板及び子基板を共に示してある。図２は図１に示すカードエッジコネクタに使用される左側ラッチ部材を構成するラッチ本体を示し、（Ａ）は一部を断面した正面図、（Ｂ）は右側面図、（Ｃ）は左側面図である。図３は図２に示したラッチ本体の平面図である。図４は図２に示したラッチ本体の子基板抜け止め片による子基板の抜け止めを説明するためのもので、（Ａ）は平面側から見た子基板抜け止め片の半円状凹部への食い込み状況の説明図、（Ｂ）は右側面側から見た子基板抜け止め片の半円状凹部への食い込み状況の説明図である。但し、図４（Ｂ）において子基板は一点鎖線で示してある。図５は図１に示すカードエッジコネクタに使用される左側ラッチ部材を構成する固定部材を示し、（Ａ）は平面図、（Ｂ）は正面図、（Ｃ）は左側面図、（Ｄ）は底面図、（Ｅ）は（Ａ）の５Ｅ−５Ｅ線に沿う断面図である。図６は左側ラッチ部材の固定部材を親基板Ａ上に半田接続した状態の一部を断面した正面図である。
【００１１】
図１において、カードエッジコネクタ１は、親基板Ａ上に取り付けられ、長手方向（図１（Ｂ）における左右方向）に延びる子基板受容凹部１１を有する絶縁性のハウジング１０と、子基板受容凹部１１の長手方向に沿って上下２列状に配置された複数のコンタクト２０とを具備している。各コンタクト２０は、親基板Ａ上に表面実装半田接続される半田接続部２１を有している。そして、ハウジング１０の長手方向両端には、子基板受容凹部１１内に第１角度（親基板Ａに対して斜めの角度）で挿入された後回転されて第２角度（親基板Ａに対して水平角度）となった子基板Ｂを前記第２角度に保持する１対のラッチ部材３０Ａ、３０Ｂが設けられている。子基板Ｂは、子基板受容凹部１１内に第１角度で受容される際に、上下２列状に配置された複数のコンタクト２０間に入り込み、回転されて第２角度で保持される際には、上下２列のコンタクト２０に接触し、これにより子基板Ｂが親基板Ａに電気的に接続されるようになっている。
【００１２】
ここで、ハウジング１０は、長手方向に延びる略矩形体で形成された絶縁部材であり、ＰＢＴ等の合成樹脂を成形することによって形成される。ハウジング１０の長手方向中心よりもやや右側（図１（Ｂ）における右側）には、子基板Ｂの逆差しを防止するためのリブ１２が設けられている。
又、１対のラッチ部材３０Ａ、３０Ｂは、ハウジング１０の長手方向中心に対して対称形状をなすように形成され、長手方向中心に対して左側に配置された左側ラッチ部材３０Ａと、前記中心に対して右側に配置された右側ラッチ部材３０Ｂとからなっている。左側ラッチ部材３０Ａと右側ラッチ部材３０Ｂとは、対称形状をなしているため、以下、左側ラッチ部材３０Ａの構成のみを説明し、右側ラッチ部材３０Ｂの構成の説明は省略する。
【００１３】
左側ラッチ部材３０Ａは、図１に示すように、金属製のラッチ本体４０と、ラッチ本体４０とは別体の金属製の固定部材５０とで構成されている。
このうち、ラッチ本体４０は、ステンレス等の金属板を打抜き及び曲げ加工することによって形成されたメタルラッチで、図２及び図３に最もよく示すように、ハウジング１０に圧入固定される圧入板部４１を有している。圧入板部４１の前端（図３における下端）には、過渡部４３ａが外方斜め前方に延び、過渡部４３ａの先端から第１平板部４３が前方に向けて延びている。また、圧入板部４１の前端上縁には、一旦上方に延びてから内側下方に折り返される折り返し片４２が形成されている。そして、折り返し片４２の前縁には、第１平板部４３と略平行に前方に向けて延びる第２平板部４６が形成されている。折り返し片４２の外面には、第１平板部４３と第２平板部４６との間の距離を所定距離に保つための外向きに突出した複数の突起４８が形成されている。
【００１４】
第２平板部４６の前端には、子基板Ｂを第２角度に保持する子基板保持部４７が設けられている。子基板保持部４７は、第２平板部４６の前端から内側に所定角度で折り曲げられた子基板抜け止め片（子基板抜け止め部）４７ａと、第２平板部４６の上縁から内側に折り曲げられた子基板保持片４７ｂとを有している。ここで、子基板保持片４７ｂは、子基板受容凹部１１内に第１角度で挿入された子基板Ｂを第２角度に回転すると、第２平板部４６の弾性力により一旦外側に移動してから元の位置に復帰し、子基板Ｂの縁部の上面に接して子基板Ｂの浮き上がりを防止して子基板Ｂを固定する。
【００１５】
また、子基板抜け止め片４７ａは、図４に示すように、子基板Ｂが第２角度に位置する際に子基板Ｂの縁部に形成された半円状凹部Ｂ１に入り込み、子基板Ｂに対して前方に向う水平方向（図４（Ａ），（Ｂ）に示す矢印Ｘ方向）に力が加えられたときに、半円状凹部Ｂ１の内壁に係合して子基板Ｂのコネクタ１からの前方に向う水平方向の抜けを防止するようになっている。この子基板抜け止め片４７ａにおいて、半円状凹部Ｂ１の内壁に係合する部分は、図４（Ａ），（Ｂ）に示すように、子基板抜け止め片４７ａの先端の内側（図４（Ａ）における上側）に形成され、水平方向と直交する上下方向に沿って傾斜した尖縁部４７ｃの上端部である。この尖縁部４７ｃの上端部は、図４（Ｂ）に示すように、子基板Ｂに対して前方に向う水平方向に力が加えられたときに、半円状凹部Ｂ１の内壁の上端近傍に点接触して食い込む。このため、ラッチ本体４０の子基板抜け止め片４７ａによる子基板Ｂの保持圧力をかなり高めることができ、子基板Ｂの水平方向への抜けを効果的に抑制することができる。この際に、尖縁部４７ｃは、水平方向と直交する上下方向に沿って傾斜しているので、子基板Ｂを下方に押し込む効果もあり子基板Ｂの水平方向への抜けをより一層効果的に抑制することができる。なお、尖縁部４７ｃは、金属板の打ち抜き時に形成されるバリ縁で構成されている。尖縁部４７ｃをバリ縁で構成することにより、半円状凹部Ｂ１の内壁への食い込み圧力が向上し、ラッチ本体４０の子基板抜け止め片４７ａによる子基板Ｂの保持圧力を一層高めることができる。さらに、尖縁部４７ｃは、水平方向と直交する上下方向に沿って傾斜せず、上下方向と平行に延設してもよい。この場合、子基板Ｂに対して水平方向に力が加えられたときに、半円状凹部Ｂ１の内壁に線接触して食い込むことになり、ラッチ本体４０の子基板抜け止め片４７ａによる子基板Ｂの保持圧力を、従来の面接触によって子基板の保持圧力を得る場合よりも高めることができる。また、尖縁部４７ｃを上下方向と平行に延設することで、ラッチ本体４０の製造を簡単に行うことができる。
【００１６】
なお、第２平板部４６の前端下縁及び後端下縁には、子基板Ｂが第２角度に位置する際に子基板Ｂを下側から支持する内側に延びる子基板支持部４９ａ，４９ｂが設けられている。子基板支持部４９ａ，４９ｂは、高さ方向においてそれら上面の位置が一致しないように段違いに形成されている。この理由は、子基板Ｂが第２角度に位置する際の子基板Ｂの反りを考慮したためである。
【００１７】
一方、第１平板部４３の前後方向略中央部の下縁からは、板厚ｔのタブ部４４が内側に折り曲げられている。タブ部４４は、第２平板部４６の下方を延びている。タブ部４４は、第１平板部４３から内側に折り曲げられた比較的幅が広い幅広部４４ａと、幅広部４４ａの先端から内側に延びる、幅広部４４ａより幅が狭い幅狭部４４ｂとを備えている。図３において、幅狭部４４ｂの幅Ｗ2 は幅広部４４ａの幅Ｗ1 よりも狭くなっている。そして、図３及び図６に示すように、幅狭部４４ｂの両側に位置する幅広部４４ａの先端縁面には、係止肩部４４ｃが形成されている。また、タブ部４４の幅狭部４４ｂには、上下に貫通する係止用開口部４４ｅが形成されると共に、幅狭部４４ｂの先端には、その先端から係止用開口部４４ｅに向けて斜め上方に傾斜する所定幅の傾斜面４４ｄが形成されている。また、過移動防止片４５は、第１平板部４３の前端下縁から内側に折り曲げられて第２平板部４６の下方に位置する連結部分４５ａと連結部分４５ａの先端から立ち上がる起立片４５ｂとを具備している。第２平板部４６は第１平板部４３と起立片４５ｂとの間に位置するように配置され、第２平板部４６の外側への移動は第１平板部４３によって規制され、第２平板部４６の内側への移動は過移動防止片４５の起立片４５ｂによって規制されるようになっている。
【００１８】
次に、固定部材５０は、ステンレス、銅合金等の金属板を打抜き及び曲げ加工することによって形成され、図５に最もよく示すように、タブ部４４の折り曲げ方向に延びる平板頂部５１と、平板頂部５１の両側部から下方に延びる１対の側板部５２と、１対の側板部５２の下端のそれぞれから互いに相手方に向かって延びる１対の平板底部５３とを具備している。固定部材５０は、半田接続するため、半田めっき又は錫めっきされる。
【００１９】
ここで、固定部材５０の平板頂部５１には、平板頂部５１の左端部に設けられた案内板部５１ａと、平板頂部５１の左端側から右端側に向けて（タブ４４の折り曲げ方向に沿って）延びる片持ち梁状の弾性係止片５４とが設けられている。弾性係止片５４は、タブ部４４に形成された傾斜面４４ｄの幅よりもやや小さな幅を有し、その先端は自由状態で平板底部５３の上面と略同一面に至るまで下方に折り曲げられている。また、１対の側板部５２間の幅ＷA は、タブ部４４の幅狭部４４ｂの幅Ｗ2 よりも少しだけ大きくなっており、幅狭部４４ｂを挿入可能な幅となっている。更に、１対の平板底部５３と平板頂部５１との間の幅ＷB は、タブ部４４の板厚ｔよりも大きくなっている。
【００２０】
そして、この固定部材５０は、図６に示すように、平板頂部５１の案内板部５１ａをタブ部４４の幅狭部４４ｂの上面に沿わせつつラッチ本体４０の第１平板部４３に向けて押圧することによりラッチ本体４０のタブ部４４に取り付けられる。この取り付けに際して、平板頂部５１と１対の側板部５２と１対の平板底部５３とで囲まれる固定部材５０の空間内にタブ部４４の幅狭部４４ｂが先端から挿入される。この際に、案内板部５１ａがタブ部４４の幅狭部４４ｂの上面に沿うことで幅狭部４４ｂの挿入を容易に行うことができる。タブ部４４の幅狭部４４ｂがその先端から固定部材５０の空間内に挿入されると、固定部材５０の弾性係止片５４の先端が幅狭部４４ｂの先端に形成された傾斜面４４ｄ上を摺動して弾性係止片５４が上方へ撓み、その先端が係止用開口部４４ｅに至ると、弾性係止片５４が元の位置に復帰して係止用開口部４４ｅ内に入り込み、係止用開口部４４ｅの縁に係合する。また、側板部５２のタブ折り曲げ方向の左縁面がタブ部４４に形成された係止肩部４４ｃに当接する。弾性係止片５４の係止用開口部４４ｅへの係合に際して、弾性係止片５４の先端が傾斜面４４ｄ上を摺動するようになっているので、弾性係止片５４の先端が係止用開口部４４ｅに円滑に導かれる。弾性係止片５４が係止用開口部４４ｅに係止すると共に側板部５２のタブ折り曲げ方向の左縁面がタブ部４４に形成された係止肩部４４ｃに当接することにより、固定部材５０のタブ折り曲げ方向の移動は規制される。また、このとき同時に、固定部材５０のタブ折り曲げ方向と直交する方向の移動は、１対の側板部５２の内面がタブ部４４の幅狭部４４ｂの側縁に当接することにより、規制される。そして、固定部材５０をタブ部４４に取り付けた後においては、固定部材５０は上下方向（図５におけるｚ方向）に移動可能であるが、固定部材５０の平板頂部５１の下面が幅狭部４４ｂの上面に当接することにより固定部材５０の下方向への移動が規制され、平板底部５３の上面が幅狭部４４ｂの下面に当接することにより固定部材５０の上方向への移動が規制される。
【００２１】
複数のコンタクト２０を取り付けたハウジング１０の長手方向両端に左右１対のラッチ部材３０Ａ，３０Ｂを取り付けてカードエッジコネクタ１は完成する。その後、このカードエッジコネクタ１は、親基板Ａ上に表面実装されてパーソナルコンピュータ等の内部に配置される。
このカードエッジコネクタ１の親基板Ａへの実装に際しては、図１（Ｃ）及び図６に示すように、コンタクト２０の半田接続部２１及びラッチ部材３０Ａ，３０Ｂの固定部材５０，５０の平板底部５３を親基板Ａ上の所定位置に配置してからリフロー半田付けを行う。これにより、カードエッジコネクタ１は親基板Ａ上へ実装される。
【００２２】
この際に、固定部材５０はラッチ本体４０のタブ部４４に対して上下方向（図６におけるｚ方向）に一定範囲で移動可能となっているので、親基板Ａに反りが生じていてもその反りを固定部材５０の上下移動により吸収することができ、コンタクト２０の半田接続部２１及び固定部材５０を良好に親基板Ａに対して半田接続を行うことができる。
【００２３】
次に本発明の第２実施形態を図７及び図８を参照して説明する。図７は本発明に係るカードエッジコネクタの第２実施形態に使用される左側ラッチ部材を示し、（Ａ）は右側面図、（Ｂ）は平面図、（Ｃ）は子基板保持部を底面側から見た部分拡大図である。図８は図７に示したラッチ部材の子基板抜け止め片による子基板の抜け止めを説明するためのもので、（Ａ）は平面側から見た子基板抜け止め片の半円状凹部への食い込み状況の説明図、（Ｂ）は右側面側から見た子基板抜け止め片の半円状凹部への食い込み状況の説明図である。
【００２４】
本発明に係るカードエッジコネクタの第２実施形態は、図１に示す第１実施形態のカードエッジコネクタ１とほぼ同様の構成を有するが、子基板Ｂを保持する１対の左側及び右側のラッチ部材の構成が相違している。
これら１対のラッチ部材を構成する左側ラッチ部材と右側ラッチ部材とは、対称形状をなしているため、以下、左側ラッチ部材の構成のみを説明し、右側ラッチ部材の構成の説明は省略する。
【００２５】
図７に示すように、左側ラッチ部材６０は、ステンレス等の金属板を打抜き及び曲げ加工することによって形成されたメタルラッチで、互いに重ねられた２枚の平板部６１，６２を具備している。そして、これら平板部６１，６２のうち外側（図７（Ｂ）における左側）の平板部６１には、後端（図７（Ｂ）における上端）に位置する圧入板部６３と、下端から外側に折り曲げられた固定部６４と、前端に位置する子基板保持部６５と、下端から内側に折り曲げられた過応力防止片６６とが設けられている。ここで、圧入板部６３は、ハウジング（図示せず）の長手方向端部に圧入固定され、また、固定部６４は、親基板Ａ上の接地パターンに半田接続されるようになっている。一方、平板部６１，６２のうち内側の平板部６２には、下端から内側に折り曲げられると共に前方に向けて延びる弾性接触片６７が設けられている。この弾性接触片６７は、子基板Ｂが第１角度（親基板Ａに対して斜めの角度）で挿入された後回転されて第２角度（親基板Ａに対して水平角度）となったときに、子基板Ｂの下面に形成された接地パターンに接触し、固定部６４を介して子基板Ｂを親基板Ａに対して接地する機能を有する。
【００２６】
そして、外側の平板部６１に設けられた子基板保持部６５は、子基板Ｂを第２角度に保持する機能を有し、平板部６１の前端から内側に子基板抜け止め片４７ａよりも大きな角度で折り曲げられた子基板抜け止め片（子基板抜け止め部）６５ａと、平板部６１の上縁から内側に折り曲げられた子基板保持片６５ｂと、過移動防止片６５ｃとを有している。
【００２７】
ここで、子基板保持片６５ｂは、ハウジングの子基板受容凹部（図示せず）内に第１角度で挿入された子基板Ｂを第２角度に回転すると、外側の平板部６１の弾性力により一旦外側に移動してから元の位置に復帰し、子基板Ｂの縁部の上面に接して子基板Ｂの浮き上がりを防止して子基板Ｂを固定する。
また、子基板抜け止め片６５ａは、図８に示すように、子基板Ｂが第２角度に位置する際に子基板Ｂの縁部に形成された半円状凹部Ｂ１に入り込み、子基板Ｂに対して前方に向う水平方向（図８（Ａ），（Ｂ）に示す矢印Ｘ方向）に力が加えられたときに、半円状凹部Ｂ１の内壁に係合して子基板Ｂのコネクタからの前方に向う水平方向の抜けを防止するようになっている。この子基板抜け止め片６５ａにおいて、半円状凹部Ｂ１の内壁に係合する部分は、図８（Ａ），（Ｂ）に示すように、子基板抜け止め片４７ａと異なり子基板抜け止め片６５ａの先端の外側（図８（Ａ）における右側）に形成され、水平方向と直交する上下方向に沿って傾斜した尖縁部６５ｄである。子基板抜け止め片６５ａは平板部６１の前端から内側に子基板抜け止め片４７ａよりも大きな角度で折り曲げられているので、子基板抜け止め片６５ａの先端の外側に形成された尖縁部６５ｄを半円状凹部Ｂ１の内壁に係合させることが可能となっている。この尖縁部６５ｄは、図８（Ｂ）に示すように、子基板Ｂに対して前方に向う水平方向に力が加えられたときに、半円状凹部Ｂ１の内壁の上端に点接触して食い込む。このため、ラッチ部材６０の子基板抜け止め片６５ａによる子基板Ｂの保持圧力をかなり高めることができ、子基板Ｂの水平方向への抜けを効果的に抑制することができる。この際に、尖縁部６５ｄは、水平方向と直交する上下方向に沿って傾斜しているので、子基板Ｂを下方に押し込む効果もあり子基板Ｂの水平方向への抜けをより一層効果的に抑制することができる。なお、尖縁部６５ｄは金属板の打抜き時に形成されるバリ縁で構成され、尖縁部６５ｄの反対側は金属板の打ち抜き時に形成されるダレ縁となっている。このため、尖縁部６５ｄが半円状凹部Ｂ１の内壁へ食い込むときの食い込み圧力が向上し、ラッチ部材６０の子基板抜け止め片６５ａによる子基板Ｂの保持圧力を一層高めることができる。さらに、尖縁部６５ｄは、水平方向と直交する上下方向に沿って傾斜せず、上下方向と平行に延設してもよい。この場合、子基板Ｂに対して水平方向に力が加えられたときに、半円状凹部Ｂ１の内壁に線接触して食い込むことになり、ラッチ部材６０の子基板抜け止め片６５ａによる子基板Ｂの保持圧力を、従来の面接触によって子基板の保持圧力を得る場合よりも高めることができる。また、尖縁部６５ｄを上下方向と平行に延設することで、ラッチ部材６０の製造を簡単に行うことができる。さらに、子基板抜け止め片６５ａは、子基板Ｂを脱落させる前方に向う水平方向の力に対してほぼ逆向きに延びている。このため、その力に対向する力が大きい。
【００２８】
また、過移動防止片６５ｃは、外側の平板部６１の下端から内側に折り曲げられて構成され、子基板Ｂが弾性接触片６７に接触する際に子基板Ｂの下方への過度の移動を防止する機能を有する。また、過移動防止片６５ｃは、子基板保持片６５ｂを外側へ変位させて子基板Ｂの保持を解除する際に、内側の平板部６２の内側面に当接して外側の平板部６１の外側への過度の変位を防止する機能をも有する。
【００２９】
なお、外側の平板部６１に設けられた過応力防止片６６は、弾性接触片６７の下方に位置し、弾性接触片６７が下方に過度に撓むのを防止する機能を有する。また、過応力防止片６６は、内側の平板部６２の下方に位置し、子基板保持部６５によって保持された子基板Ｂが上方へ無理に付勢される際に内側の平板部６２の下縁に当接して外側の平板部６１の浮き上がりを防止する機能をも有する。
【００３２】
【発明の効果】
以上説明したように、本発明のうち請求項１に係るカードエッジコネクタによれば、子基板抜け止め部が、子基板の縁部に形成された半円状凹部の内壁に食い込む尖縁部を有するので、ラッチ部材の子基板抜け止め部による子基板の保持圧力を高めることができ、子基板の水平方向への抜けを効果的に抑制することができる。そして、ラッチ部材が金属板を打ち抜き及び曲げ加工することによって形成されるメタルラッチであり、尖縁部がラッチ部材の先端に設けられた、金属板の打ち抜き時に形成されるバリ縁であるので、尖縁部が半円状凹部の内壁へ食い込むときの食い込み圧力が向上し、ラッチ部材の子基板抜け止め部による子基板の保持圧力を一層高めることができる。
【００３４】
さらに、本発明のうち請求項２に係るカードエッジコネクタによれば、請求項１記載の発明において、尖縁部が水平方向と直交する上下方向に沿って傾斜し、半円状凹部の上端近傍に食い込むので、子基板に対して水平方向に力が加えられたときに、半円状凹部の内壁の上端近傍に点接触して食い込むことになり、ラッチ部材の子基板抜け止め部による子基板の保持圧力をより一層高めることができ、子基板の水平方向への抜けを効果的に抑制することができる。
【図面の簡単な説明】
【図１】本発明に係るカードエッジコネクタの第１実施形態を示し、（Ａ）は平面図、（Ｂ）は正面図、（Ｃ）は右側面図である。但し、図１（Ｃ）においては、親基板及び子基板を共に示してある。
【図２】図１に示すカードエッジコネクタに使用される左側ラッチ部材を構成するラッチ本体を示し、（Ａ）は一部を断面した正面図、（Ｂ）は右側面図、（Ｃ）は左側面図である。
【図３】図２に示したラッチ本体の平面図である。
【図４】図２に示したラッチ本体の子基板抜け止め片による子基板の抜け止めを説明するためのもので、（Ａ）は平面側から見た子基板抜け止め片の半円状凹部への食い込み状況の説明図、（Ｂ）は右側面側から見た子基板抜け止め片の半円状凹部への食い込み状況の説明図である。但し、図４（Ｂ）において子基板は一点鎖線で示してある。
【図５】図１に示すカードエッジコネクタに使用される左側ラッチ部材を構成する固定部材を示し、（Ａ）は平面図、（Ｂ）は正面図、（Ｃ）は左側面図、（Ｄ）は底面図、（Ｅ）は（Ａ）の５Ｅ−５Ｅ線に沿う断面図である。
【図６】左側ラッチ部材の固定部材を親基板Ａ上に半田接続した状態の一部を断面した正面図である。
【図７】本発明に係るカードエッジコネクタの第２実施形態に使用される左側ラッチ部材を示し、（Ａ）は右側面図、（Ｂ）は平面図、（Ｃ）は子基板保持部を底面側から見た部分拡大図である。
【図８】図７に示したラッチ部材の子基板抜け止め片による子基板の抜け止めを説明するためのもので、（Ａ）は平面側から見た子基板抜け止め片の半円状凹部への食い込み状況の説明図、（Ｂ）は右側面側から見た子基板抜け止め片の半円状凹部への食い込み状況の説明図である。但し、図８（Ｂ）において子基板は一点鎖線で示してある。
【図９】従来例のカードエッジコネクタを示し、（Ａ）は部分斜視図、（Ｂ）は上段ハウジング部の側壁の上部分の詳細構成を示す部分斜視図である。但し、図９（Ｂ）において子基板の一部をともに示してある。
【符号の説明】
１  カードエッジコネクタ
１０  ハウジング
３０Ａ，６０  左側ラッチ部材
３０Ｂ  右側ラッチ部材
４７ａ，６５ａ  子基板抜け止め片（子基板抜け止め部）
４７ｃ，６５ｄ  尖縁部
Ａ  親基板
Ｂ  子基板
Ｂ１  半円状凹部
【図１】
0003730116.tif 000002
【図２】
0003730116.tif 000003
【図３】
0003730116.tif 000004
【図４】
0003730116.tif 000005
【図５】
0003730116.tif 000006
【図６】
0003730116.tif 000007
【図７】
0003730116.tif 000008
【図８】
0003730116.tif 000009
【図９】
0003730116.tif 000010